【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
ユーザ装置からの通信要求を、セルラ通信システム内のアクセスポイントであり、且つ前記システム内のマクロセルよりも通信距離が短いアクセスポイントへリダイレクトする方法であって、
（ａ）通信要求を、ユーザ装置から前記アクセスポイントへ送信するステップと、
（ｂ）前記アクセスポイントが最大容量に達したかを判定するステップと、
（ｃ）前記アクセスポイントが最大容量に達した場合に、通信拒否信号を前記ユーザ装置へ送信するステップと、
（ｄ）前記通信要求を、前記アクセスポイントが位置するマクロセルへリダイレクトするステップと、を備え、
前記マクロセル及びアクセスポイントが同一の周波数で動作する、
通信要求のリダイレクト方法。
【請求項２】
前記通信要求及び通信拒否信号の少なくとも一方は、無線リソース制御コネクションメッセージである、請求項１に記載の通信要求のリダイレクト方法。
【請求項３】
ユーザ装置からの通信要求を、セルラ通信システム内のアクセスポイントであり、且つ前記システム内のマクロセルよりも通信距離が短いアクセスポイントへリダイレクトする方法であって、
（ａ）通信要求を、ユーザ装置から前記アクセスポイントへ送信するステップと、
（ｂ）前記アクセスポイントが最大容量に達したかを判定するステップと、
（ｃ）前記アクセスポイントが最大容量に達した場合に、通信拒否信号を前記ユーザ装置へ送信するステップと、
（ｄ）前記通信要求を、前記アクセスポイントが位置するマクロセルへリダイレクトするステップと、を備え、
前記通信要求若しくは通信拒否信号、又はその両者が、前記ユーザ装置のリダイレクト元である前記アクセスポイントを識別する情報を含み、前記ユーザ装置が、前記マクロセルとの通信から解放された場合に、前記アクセスポイントへ復帰するようリダイレクトされる、
通信要求のリダイレクト方法。
【請求項４】
前記通信要求及び通信拒否信号の少なくとも一方は、無線リソース制御コネクションメッセージである、請求項３に記載の通信要求のリダイレクト方法。
【請求項５】
前記アクセスポイントは、低電力のフェムトセル送信機又は／及び受信機を備える、前記いずれか一項に記載の通信要求のリダイレクト方法。
【請求項６】
前記フェムトセル送信機又は／及び受信機は、略１０デシベルメートルのパワーを有する、請求項５に記載の通信要求のリダイレクト方法。
【請求項７】
前記アクセスポイントが最大容量に達した場合、前記ユーザ装置は、前記マクロセルへリダイレクトされるのみである、前記いずれか一項に記載の通信要求のリダイレクト方法。
【請求項８】
前記ユーザ装置は、前記アクセスポイントと同一の周波数で動作するマクロセルへリダイレクトされる、請求項３に記載の通信要求のリダイレクト方法。
【請求項９】
前記無線リソース制御メッセージは、前記ユーザ装置のリダイレクト元である前記アクセスポイントを識別する情報をさらに含み、前記ユーザ装置は、前記マクロセルとの通信から解放された場合に、前記アクセスポイントへ復帰するようリダイレクトされる、請求項２に記載の通信要求のリダイレクト方法。
【請求項１０】
通信要求をリダイレクトするためのコンピュータプログラムであって、
前記プログラムが実行された場合に、請求項１〜９のいずれか一項に記載の方法を行うように構成されたプログラムコードを備えたコンピュータプログラム。
【請求項１１】
セルラ通信システム内においてユーザ装置からの通信要求をリダイレクトする、前記システム内のマクロセルよりも通信距離が短いアクセスポイントであって、
前記アクセスポイントが最大容量に達したかを判定する手段と、
前記アクセスポイントが最大容量に達した場合に、通信拒否信号を前記ユーザ装置へ送信する手段と、を備え、
前記通信拒否信号は、前記アクセスポイントが位置するマクロセルを識別する情報を含み、前記マクロセル及びアクセスポイントは、同一の周波数で動作する、
アクセスポイント。
【請求項１２】
前記アクセスポイントとサービスエリアが重複し、且つ前記アクセスポイントと同一の周波数で動作する１以上のマクロセルの利用可否を判定する手段をさらに備えた、請求項１１に記載のアクセスポイント。
【請求項１３】
前記拒否信号は、受信レベルが最も高いマクロセルを識別する情報を含む、請求項１２に記載のアクセスポイント。
【請求項１４】
ユーザ装置からの通信要求を、セルラ通信システム内のアクセスポイントであり、且つ前記システム内のマクロセルよりも通信距離が短いアクセスポイントへリダイレクトする装置であって、
（ａ）通信要求を、ユーザ装置から前記アクセスポイントへ送信する手段と、
（ｂ）前記アクセスポイントが最大容量に達したかを判定する手段と、
（ｃ）前記アクセスポイントが最大容量に達した場合に、通信拒否信号を前記ユーザ装置へ送信する手段と、
（ｄ）前記通信要求を、前記アクセスポイントが位置するマクロセルへリダイレクトする手段と、を備え、
前記マクロセル及びアクセスポイントが同一の周波数で動作する、
通信要求のリダイレクト装置。
【請求項１５】
ユーザ装置からの通信要求を、セルラ通信システム内のアクセスポイントであり、且つ前記システム内のマクロセルよりも通信距離が短いアクセスポイントへリダイレクトする装置であって、
（ａ）通信要求を、ユーザ装置から前記アクセスポイントへ送信する手段と、
（ｂ）前記アクセスポイントが最大容量に達したかを判定する手段と、
（ｃ）前記アクセスポイントが最大容量に達した場合に、通信拒否信号を前記ユーザ装置へ送信する手段と、
（ｄ）前記通信要求を、前記アクセスポイントが位置するマクロセルへリダイレクトする手段と、を備え、
前記通信要求若しくは通信拒否信号、又はその両者が、前記ユーザ装置のリダイレクト元である前記アクセスポイントを識別する情報を含み、前記ユーザ装置が、前記マクロセルとの通信から解放された場合に、前記アクセスポイントへ復帰するようリダイレクトされる、
通信要求のリダイレクト装置。
【請求項１６】
前記通信要求及び通信拒否信号の少なくとも一方は、無線リソース制御コネクションメッセージである、請求項１４又は１５に記載の通信要求のリダイレクト装置。
【請求項１７】
前記アクセスポイントは、低電力のフェムトセル送信機又は／及び受信機を備える、請求項１４〜１６のいずれか一項に記載の通信要求のリダイレクト装置。
【請求項１８】
前記フェムトセル送信機又は／及び受信機は、略１０デシベルメートルのパワーを有する、請求項１７に記載の通信要求のリダイレクト装置。
【請求項１９】
前記アクセスポイントが最大容量に達した場合、前記ユーザ装置は、前記マクロセルへリダイレクトされるのみである、請求項１４〜１８のいずれか一項に記載の通信要求のリダイレクト装置。
【請求項２０】
前記ユーザ装置は、前記アクセスポイントと同一の周波数で動作するマクロセルへリダイレクトされる、請求項１５に記載の通信要求のリダイレクト装置。
【請求項２１】
前記無線リソース制御メッセージは、前記ユーザ装置のリダイレクト元である前記アクセスポイントを識別する情報をさらに含み、前記ユーザ装置は、前記マクロセルとの呼又はサービスを終了した場合に、前記アクセスポイントへ復帰するようリダイレクトされる、請求項１４に記載の通信要求のリダイレクト装置。